(57)【要約】【課題】  締め付け加圧しても鋼管内のブロックを鋼管とは別に自由に動ける状態に保ことができ、加圧力を複数のブロック全体に伝えることができて抑止力のアップを図ることができる地すべり防止杭の強度増強方法を提供すること。【解決手段】  地すべり斜面にボーリング孔を削孔し、その孔の中に鋼管杭を挿入した後、鋼管杭内へ複数のブロックを挿入することにより、該鋼管杭からなる抑止杭の強度を増加させる方法であって、鋼管杭１内に挿入されるブロックが、中心部に穴８を有するブロック７からなり、該ブロックの穴には鋼管杭の下部に固定された底部蓋１０に下端が固定された鋼棒１１が通されるとともに、該鋼棒の上端部に上部蓋１３が通され、これら鋼棒が通されて底部蓋と上部蓋で挟まれた複数のブロックを締付部材（１５）で締め付けることにより強制加圧することを特徴とする。【選択図】        図２
2006104761.tif 000002
【特許請求の範囲】
【請求項１】
地すべり斜面にボーリング孔を削孔し、その孔の中に鋼管杭を挿入した後、鋼管杭内へ複数のブロックを挿入することにより、該鋼管杭からなる抑止杭の強度を増加させる方法であって、鋼管杭内に挿入されるブロックが、中心部に穴を有するブロックからなり、該ブロックの穴には鋼管杭の下部に固定された底部蓋に下端が固定された鋼棒が通されるとともに、該鋼棒の上端部に上部蓋が通され、これら鋼棒が通されて底部蓋と上部蓋で挟まれた複数のブロックを締付部材で締め付けることにより強制加圧することを特徴とする地すべり防止杭の強度増強方法。
【請求項２】
締付部材が、鋼棒の上端部に形成されたねじに螺合したナットからなり、該ナットを締め付けることにより複数のブロックを強制加圧する請求項１記載の地すべり防止杭の強度増強方法。
【請求項３】
ブロックが、円柱状の鉄筋コンクリート製ブロックである請求項１又は２記載の地すべり防止杭の強度増強方法。
【発明の詳細な説明】
【技術分野】
【０００１】
この発明は、地すべり斜面に設置される地すべり防止杭の強度増強方法に関し、地すべり防止工事で用いられる杭工法に利用できるものである。
【背景技術】
【０００２】
地すべり防止工法の一つとして杭工法がある。杭工は、地すべり斜面内の移動層を貫通させ、不動基岩まで達したボーリング孔内に鋼管杭を設置することにより、滑動力に抵抗し地すべり運動を抑止する工法である。このような杭工で、地すべり防止を抑止するものとして従来、地すべり斜面にボーリング孔を削孔し、その孔の中に鋼管杭を挿入した後、該鋼管杭の内外へモルタル又はコンクリートを充填することにより、該鋼管杭からなる抑止杭の強度を増加させる方法が提案されている（例えば、特許文献１参照）。
【０００３】
【特許文献１】特開２００３−１８４１００号公報
【０００４】
前記の特許文献１は、鋼管杭の下端に底蓋を溶接し、該底蓋側から鋼管杭をボーリング孔へ建て込み、建て込み後に鋼管杭の内側や外周へモルタル等を充填して養生させ、しかる後、硬化したモルタル等の上に加圧板を載せ、地表側方向からボルトやナットを締め付けて加圧するものである。そして、鋼管杭の内側へのモルタル等の充填に際しては、工場又は現場で予め製作した複数のブロックとしての中詰めコンクリートを鋼管杭内に挿入した後、鋼管杭の上端に溶接した天蓋に設けたボルト等により締め付け、ボルト先端と当接する加圧板と底蓋との間で強制加圧する（例えば平成１４年７月２０日付けで手続補正書にて全文補正した明細書の段落００１７、図８参照）。しかしながら、前記のような加圧により鋼管内に挿入された中詰めコンクリートは鋼管と一体化して自由に動ける状態にはなく、加圧板を介して加圧される力は加圧板付近の中詰めコンクリートに伝わるだけであり、中詰めコンクリート全体に均等に伝わることがなく、抑止力アップにはつながらないという問題があった。
【発明の開示】
【発明が解決しようとする課題】
【０００５】
そこでこの発明は、前記従来のものの問題点を解決し、締め付け加圧しても鋼管内のブロックを鋼管とは別に自由に動ける状態に保ことができ、加圧力を複数のブロック全体に伝えることができて抑止力のアップを図ることができる地すべり防止杭の強度増強方法を提供することを目的とする。
【課題を解決するための手段】
【０００６】
前記課題を解決するために、請求項１に記載の発明は、地すべり斜面にボーリング孔を削孔し、その孔の中に鋼管杭を挿入した後、鋼管杭内へ複数のブロックを挿入することにより、該鋼管杭からなる抑止杭の強度を増加させる方法であって、鋼管杭内に挿入されるブロックが、中心部に穴を有するブロックからなり、該ブロックの穴には鋼管杭の下部に固定された底部蓋に下端が固定された鋼棒が通されるとともに、該鋼棒の上端部に上部蓋が通され、これら鋼棒が通されて底部蓋と上部蓋で挟まれた複数のブロックを締付部材で締め付けることにより強制加圧することを特徴とする。
【０００７】
請求項２に記載の発明は、請求項１において、締付部材が、鋼棒の上端部に形成されたねじに螺合したナットからなり、該ナットを締め付けることにより複数のブロックを強制加圧することを特徴とする。請求項３に記載の発明は、請求項１又は２において、ブロックが、円柱状の鉄筋コンクリート製ブロックであることを特徴とする。
【発明の効果】
【０００８】
請求項１ないし３に記載の発明は、前記のように鋼管杭内に挿入されるブロックが、中心部に穴を有するブロックからなり、該ブロックの穴には鋼管杭の底部蓋に下端が固定された鋼棒が通されるとともに、該鋼棒の上端部に上部蓋が通され、これら底部蓋と上部蓋で挟んだ複数のブロックを締付部材で締め付けるので、締付部材により締め付け加圧しても鋼管内に挿入されるブロックを鋼管とは一体化せずに自由に動ける状態に保ことができる。そのため、加圧力及び地すべり力を複数のブロック全体に伝えることができて鋼管杭の強度を増加でき、抑止力のアップを図ることができる。また、工事費も安価に抑えることができ、工事費のコスト縮減を図ることができる。
【発明を実施するための最良の形態】
【０００９】
この発明の一実施の形態を、図面を参照して説明する。
【００１０】
図１は地すべり斜面に鋼管杭が設置された側断面図を示す。１は鋼管杭で、地すべり斜面２にその地表面３からすべり面４に向けて打設されている。図面では１個のみ示しているが、通常は図の前後方向に所定の間隔で複数個設置される。
【００１１】
打設された鋼管杭１の内部は図２に示すようになっている。すなわち、鋼管杭１は上端が開口した中空円筒状の所定長さの杭本体６を具え、該杭本体の下端には底部蓋１０が溶接等により固定されている。そして底部蓋１０により下端が閉じられた杭本体６内には複数の円柱状の鉄筋コンクリート製ブロック７が多段に積み重ねられて挿入されている。この挿入状態ではブロック７は杭本体６の内周面と僅かな間隙をもって収容されている。ブロック７の中心部には鋼棒１１の挿通が可能な大きさの穴８が上下に貫通して形成されている。すなわち、穴８は鋼棒１１が遊嵌可能に該棒径よりも相当大きく形成され、この穴８を介してブロック７が鋼棒１１をガイドとして軸方向に動くことができるようになっている。ブロック７は工場又は現場で予め製作される。
【００１２】
ブロック７の杭本体６内への挿入に際しては底部蓋１０に下端が固定された鋼棒１１に最下段のブロック７から順次差し込んで挿入してやる。鋼棒１１の上端部にはねじ１２が切られており、最上段のブロック７がねじ１２をその上端面から突出した状態でブロック７の挿入が終わるので、その後は該突出したねじ１２を通すように上部蓋１３を被せる。しかる後、ねじ１２に締付部材としてのナット１５を螺合して締め付けると、前記複数のブロック７は底部蓋１０と上部蓋１３で挟まれて強制加圧されることとなる。
【００１３】
次に、実際の鋼管杭１の地すべり斜面２への設置について説明する。設置に際しては、まず、地すべり斜面２にボーリング孔を削孔する。次に、このボーリング孔の中に鋼管杭１を杭本体６の底部蓋１０側から挿入して建て込む。次に、この建て込んだ鋼管杭１内へ複数のブロック７を挿入するが、挿入に際しては底部蓋１０に下端が固定された鋼棒１１をガイドとしてその上端からブロック７を順次その穴８に通して入れてやる。そして挿入したブロック７が杭本体６の上端開口付近まで達したら、鋼棒１１の上端部に上部蓋１３を通して被せる。しかる後、上部蓋１３から出た鋼棒１１のねじ１２にナット１５を螺合して締め付ける。これにより鋼管杭１内に挿入された複数のブロック７は底部蓋１０と上部蓋１３に挟まれて前記締め付け力による加圧力を受けるが、鋼管杭１とは一体化していないので、鋼管杭１の軸方向には自由に動ける状態に保たれる。
【００１４】
前記のような構成の鋼管杭１を用いた作用を説明する。図３に地すべり斜面に設置された鋼管杭１の地すべり時の挙動を示すように、地すべり斜面２で矢印で示すように滑動力が生じると、鋼管杭１はすべり面４付近において谷側１７及び山側１８に曲げ変形し、引張力２０及び圧縮力２１が鋼管杭１に作用する。このとき鋼管杭１内に挿入されたブロック７にも同様なことが生じるが、ブロック７には前記のように締め付け力による加圧力が常時作用していて、鋼管杭１とは一体化せずに自由に動ける状態にあり、前記滑動力を複数のブロック７全体に伝えて鋼管杭１とブロック７で受け止めることが可能なので、鋼管杭１の強度を増加でき、抑止力のアップを図ることができる。
【００１５】
すなわち、この実施の形態では、次のような作用効果が期待できる。
（１）ブロック７は穴８を介して鋼棒１１に沿って自由に移動できる構造になっているため、鋼棒１１に生じるひずみを鋼棒全体に分散でき、鋼棒及びブロックに作用する応力も減じられ、鋼棒及びブロックの局所的な破損の防止又は抑制ができる。
（２）ブロック７は複数からなっているから、コンクリートの弱点である引張力２０が一つのブロックに作用した場合に、その引張力の影響が他のブロックに波及しないため、鋼管杭１の強度を増加でき、そのうえ現場での施工性もよい。
（３）ブロック７には引張力が強制加圧された応力より小さい範囲内において圧縮力２１のみが作用し、ブロック７のコンクリートが圧縮力に対して強いという特性を有効に生かすことができ、ブロック７による強度増加分だけ従来の鋼管杭に比べて鋼管杭１の強度を増加できる。
（４）鋼管杭１内にブロック７が最小限の間隙（ブロックが自由に動けるのに必要な間隙）を保てる状態で挿入されているため、ブロック７に作用する圧縮力２１が各ブロック全体に伝わること及び、鋼管杭が曲げ変形する際に生じる管の潰れを小さくでき、鋼管杭１の強度を増加できる。
（５）ブロック７は工場において高品質で生産できるため、その強度が把握でき、鋼管杭１の設計にブロックを組み入れることができる。
（６）工事費も安価に抑えることができ、工事費のコスト縮減を図ることができる。
【００１６】
ブロック７の管軸方向の長さは施工性を考慮すると短い方がよいのであるが、強度面からは長い方がよいので、できるだけ長い方を用いるのが好ましい。この実施の形態で示したブロック７はあくまでも一例である。
【００１７】
尚、前記実施の形態では締付部材としてナット１５を示したが、これはあくまでも一例であって同効の他の部材に代えてもよい。
【図面の簡単な説明】
【００１８】
【図１】この発明の一実施の形態を示す側断面図である。
【図２】同上の鋼管杭の打設状態を示す側断面図である。
【図３】鋼管杭の地すべり時の挙動を示す側断面図である。
【符号の説明】
【００１９】
１  鋼管杭
２  地すべり斜面
３  地表面
４  すべり面
６  杭本体
７  ブロック
８  穴
１０  底部蓋
１１  鋼棒
１２  ねじ
１３  上部蓋
１５  ナット
１７  谷側
１８  山側
２０  引張力
２１  圧縮力
【図１】
2006104761.tif 000003
【図２】
2006104761.tif 000004
【図３】
2006104761.tif 000005